(57)【要約】【課題】高い解像度で正確なタッチ位置の検出ができるタッチパネルを提供する。【解決手段】  タッチパネル１００は、基板１０２上に、Ｘ方向に延在する複数の第１検知電極１０３と、Ｘ方向と直交するＹ方向に延在する複数の第２検知電極１０４とをマトリクス状に配置して操作領域１０５を構成する。そして、基板１０２上の操作領域１０５の周辺に、Ｘ方向に延在する第１計測電極１３１およびＹ方向に延在する第２計測電極１３２を配設し、第１計測電極１３１、第２計測電極１３２、第１検知電極１０３および第２検知電極１０４を用いた静電容量の計測により、操作領域１０５内でなされたタッチ操作の位置を検出するようにする。【選択図】図４
2013134698.tif 000002
【特許請求の範囲】
【請求項１】
基板上に、第１の方向に延在する複数の第１検知電極と、前記第１の方向と交差する第２の方向に延在する複数の第２検知電極とをマトリクス状に配置して操作領域を構成し、当該操作領域内のタッチ操作の位置を検出するタッチパネルであって、
前記基板上の前記操作領域の周辺に、前記第１の方向に延在する計測電極および前記第２の方向に延在する計測電極のうちの少なくとも一方を配設し、
配設された計測電極、前記第１検知電極および前記第２検知電極を用いた静電容量の計測により前記操作領域内のタッチ操作の位置を検出するよう構成されたことを特徴とするタッチパネル。
【請求項２】
前記第１検知電極と前記第２検知電極とが、前記操作領域内で絶縁体を介して重畳するよう構成されており、
前記第１の方向に延在する計測電極は、前記操作領域の周辺で前記第２検知電極と絶縁体を介して重畳するよう構成されたものであり、
前記第２の方向に延在する計測電極は、前記操作領域の周辺で前記第１検知電極と絶縁体を介して重畳するよう構成されたものであることを特徴とする請求項１に記載のタッチパネル。
【請求項３】
前記第１検知電極は、延在方向に細線部と当該細線部より部分的に幅が広くなる形状の電極パッド部とが交互に並ぶよう構成されて前記基板の一方の面に配置されており、
前記第２検知電極は、前記基板の前記一方の面に配置されて、前記第１検知電極の細線部で交差するとともに、当該細線部との交差部分で途切れるように構成され、当該交差部分における前記第１検知電極の上層に絶縁体を配置し、当該絶縁体の上層に第１ブリッジ電極を配置して当該交差部分で途切れた部分同士を接続するようにされており、
前記第１の方向に延在する計測電極は、前記基板の前記一方の面に配置されたものであり、
前記第２の方向に延在する計測電極は、前記基板の前記一方の面に配置されて、前記第１検知電極と当該第１検知電極の細線部で交差するとともに、当該細線部との交差部分で途切れるように構成され、当該交差部分における前記第１検知電極の上層に絶縁体を配置し、当該絶縁体の上層に第２ブリッジ電極を配置して当該交差部分で途切れた部分同士を接続するようにされたものであることを特徴とする請求項１または２に記載のタッチパネル。
【請求項４】
前記第１の方向に延在する計測電極を有し、
前記第２検知電極は、当該計測電極と交差するとともに、当該計測電極との交差部分で途切れるように構成され、当該交差部分における当該計測電極の上層に絶縁体を配置し、当該絶縁体の上層に前記第１ブリッジ電極を配置して当該交差部分で途切れた部分同士を接続するように構成されたことを特徴とする請求項３に記載のタッチパネル。
【請求項５】
前記第１検知電極と前記第２検知電極とがそれぞれ、前記基板の一方の面に配置され、前記操作領域内で絶縁体を介して重畳するよう構成されており、
前記第１の方向に延在する計測電極は、前記基板の前記一方の面で、前記第２検知電極の端部と離間するように配置され、
前記第２の方向に延在する計測電極は、前記基板の前記一方の面で、前記第１検知電極の端部と離間するように配置されることを特徴とする請求項１に記載のタッチパネル。
【発明の詳細な説明】
【技術分野】
【０００１】
本発明は、タッチパネルに関する。
【背景技術】
【０００２】
携帯電話やスマートフォンやＰＤＡ（パーソナルデジタルアシスタント）等の電子機器では、画面の大型化への要求が大きく、スイッチやテンキーなどの入力装置を配置できる領域が少なくなっている。また、液晶表示パネル等の表示素子に表示された画像を参照しながら表示画像に触れ、分かりやすく情報の入力ができる入力方法の実現が求められている。
そのため、近年では、タッチパネル付きの表示装置への要求が高まっている。
【０００３】
タッチパネルは、上述した液晶表示パネル等の表示パネル上に配置され、操作者が指やペン等で操作面に触れたときに、そのタッチ位置を検出する入力装置の総称である。
【０００４】
タッチパネルは、タッチ位置検出の方式の違いに従って抵抗膜方式や静電容量方式などが知られている。
抵抗膜方式は、表面に透明な検知電極の配設された２枚の基板を、互いの検知電極が対向するように離間して配置する。そして、操作者の指やペンで一方の基板を押下することで検知電極同士を接触させ、通電させて、タッチ操作を検知する構造となっている。
【０００５】
静電容量方式は、人間が導体であり、タッチ操作する操作者の指がグランドとして機能することを利用する。すなわち、タッチパネルの基板上に配置されたタッチ位置検出用の検知電極に指が近づくと、指と検知電極との間に容量が形成される。静電容量方式のタッチパネルでは、検知電極を用いた静電容量の計測を行い、タッチ操作に伴う容量形成を変化として捉えることができる。そして、付設された制御回路等によってこれを検知する。このとき、容量変化を検知する方式であるため、直接に操作者の指が検知電極に触れない場合でも、指の接近を検知することができる。
【０００６】
図１１は、従来のタッチパネルの検知電極の配置構造を模式的に説明する平面図である。
【０００７】
図１１に示す従来のタッチパネル１０００は、投影型静電容量方式と称され、透明基板１００１の一方の面に、例えば、図面の左右方向であるＸ方向に延在する短冊状の複数の第１検知電極１００２を設ける。そして、透明基板１００１のもう一方の面に、または第１検知電極１００２の上に絶縁膜（図示されない）を配置してその上に、Ｘ方向と垂直なＹ方向に延在する短冊状の複数の第２検知電極１００３を設けて構成される。
【０００８】
このように、投影型静電容量方式の従来のタッチパネルは、基板または絶縁膜等の絶縁体を挟んで互いに交差する２種類の検知電極をマトリクス状に配置する。そして、投影型静電容量方式のタッチパネルは、マトリクス状に配置された２種類の検知電極を用いて、操作者がタッチ操作する操作領域を構成し、操作者の指等によるタッチ位置の座標の検出に用いている。
【０００９】
投影型静電容量方式のタッチパネルを用いたタッチ位置の検出方法には、自己容量方式と相互容量方式の２方式が知られている。そして、相互容量方式は、操作者がタッチパネルの操作領域内で同時に多点のタッチ操作を行うマルチタッチを行った場合でも、各タッチ位置の検出を正確に行うことができ、より好ましい方式とされている。
【００１０】
相互容量方式は、例えば、図１１に示すタッチパネル１０００の場合、交差する第１検知電極１００２と第２検知電極１００３とによって形成されるキャパシタの静電容量を計測する方式である。交差する第１検知電極１００２と第２検知電極１００３のうち、例えば、第１検知電極１００２は、キャパシタに電荷を充放電させるために用いられる。この第１検知電極１００２はドライブ電極とも称される。また、もう一方の第２検知電極１００３は、キャパシタの静電容量を計測するために用いられる。この第２検知電極１００３は、センス電極とも称される。
【００１１】
タッチパネル１０００において、操作者の指等のタッチ操作により、上述したキャパシタの静電容量は変動する。図１１に示すタッチパネル１０００の場合、各４個のドライブ電極とセンス電極を有することになる。そして、第２検知電極（センス電極）１００３により、第１検知電極１００２と第２検知電極１００３とが交差する１６カ所の電極交差部に形成されるキャパシタの静電容量を順次計測することで、指等のタッチ位置を検出することができる。
【先行技術文献】
【特許文献】
【００１２】
【特許文献１】特開２０１０−３９５３７号公報
【発明の概要】
【発明が解決しようとする課題】
【００１３】
以上のようなタッチパネルにおいては、近年、高精細の画像表示が可能な表示パネルの上に配置され、入力装置として使用されることが多くなっている。したがって、操作者によるタッチ操作に対して、より高い解像度で正確なタッチ位置の検出ができるタッチパネルが求められている。そして、高い解像度でタッチ位置を検出することができる投影型静電容量方式の相互容量方式タッチパネルにおいても、さらなるタッチ位置検出精度の向上が求められている。
【００１４】
本発明は、以上のような課題に鑑みてなされたものである。すなわち、本発明の目的は高い解像度で正確なタッチ位置の検出ができるタッチパネルを提供することにある。
【００１５】
本発明の他の目的および利点は、以下の記載から明らかとなるであろう。
【課題を解決するための手段】
【００１６】
本発明の態様は、基板上に、第１の方向に延在する複数の第１検知電極と、第１の方向と交差する第２の方向に延在する複数の第２検知電極とをマトリクス状に配置して操作領域を構成し、その操作領域内のタッチ操作の位置を検出するタッチパネルであって、
基板上の操作領域の周辺に、第１の方向に延在する計測電極および第２の方向に延在する計測電極のうちの少なくとも一方を配設し、
計測電極、第１検知電極および第２検知電極を用いた静電容量の計測により操作領域内のタッチ操作の位置を検出するよう構成されたことを特徴とするタッチパネルに関する。
【００１７】
本発明の態様において、第１検知電極と第２検知電極とが、操作領域内で絶縁体を介して重畳するよう構成されており、
第１の方向に延在する計測電極は、操作領域の周辺で第２検知電極と絶縁体を介して重畳するよう構成されたものであり、
第２の方向に延在する計測電極は、操作領域の周辺で第１検知電極と絶縁体を介して重畳するよう構成されたものであることが好ましい。
【００１８】
本発明の態様において、第１検知電極は、延在方向に細線部とその細線部より部分的に幅が広くなる形状の電極パッド部とが交互に並ぶよう構成されて基板の一方の面に配置されており、
第２検知電極は、基板のその一方の面に配置されて、第１検知電極の細線部で交差するとともに、その細線部との交差部分で途切れるように構成され、その交差部分における第１検知電極の上層に絶縁体を配置し、その絶縁体の上層に第１ブリッジ電極を配置してその交差部分で途切れた部分同士を接続するようにされており、
第１の方向に延在する計測電極は、基板のその一方の面に配置されたものであり、
第２の方向に延在する計測電極は、基板のその一方の面に配置されて、第１検知電極とその第１検知電極の細線部で交差するとともに、その細線部との交差部分で途切れるように構成され、その交差部分における第１検知電極の上層に絶縁体を配置し、その絶縁体の上層に第２ブリッジ電極を配置してその交差部分で途切れた部分同士を接続するようにされたものであることが好ましい。
【００１９】
本発明の態様において、第１の方向に延在する計測電極を有し、
第２検知電極は、その計測電極と交差するとともに、その計測電極との交差部分で途切れるように構成され、その交差部分におけるその計測電極の上層に絶縁体を配置し、その絶縁体の上層に第１ブリッジ電極を配置してその交差部分で途切れた部分同士を接続するように構成されることが好ましい。
【００２０】
本発明の態様において、第１検知電極と第２検知電極とがそれぞれ、基板の一方の面に配置され、操作領域内で絶縁体を介して重畳するよう構成されており、
第１の方向に延在する計測電極は、基板のその一方の面で、第２検知電極の端部と離間するように配置され、
第２の方向に延在する計測電極は、基板のその一方の面で、第１検知電極の端部と離間するように配置されることが好ましい。
【発明の効果】
【００２１】
本発明の態様によれば、高い解像度で正確なタッチ位置の検出ができるタッチパネルを提供することができる。
【図面の簡単な説明】
【００２２】
【図１】静電容量方式のタッチパネルを用いたタッチ操作の検出を説明する図である。
【図２】タッチパネルの第１検知電極の構造を示す平面図である。
【図３】タッチパネルにおけるタッチ位置の検出について説明するグラフである。
【図４】本発明の実施形態のタッチパネルの構造を模式的に示す平面図である。
【図５】本実施形態のタッチパネルの第１検知電極の構造を模式的に示す平面図である。
【図６】本実施形態のタッチパネルの第１検知電極と第２検知電極との交差部の構造を模式的に示す平面図である。
【図７】本実施形態のタッチパネルの第１計測電極の構造を模式的に示す平面図である。
【図８】本実施形態のタッチパネルにおけるタッチ位置の検出を模式的に説明する図である。
【図９】本実施形態のタッチパネルにおけるタッチ位置の検出について説明するグラフである。
【図１０】本実施形態のタッチパネルの別の例の構造を示す平面図である。
【図１１】従来のタッチパネルの検知電極の配置構造を模式的に説明する平面図である。
【発明を実施するための形態】
【００２３】
本発明は、液晶表示パネル等の表示パネル上に配置され、操作者が指等によって操作領域内にタッチ操作したときに、そのタッチ位置を検出するタッチパネルに関する。本発明のタッチパネルは、例えば、投影型静電容量方式のタッチパネルとすることができる。
【００２４】
本発明のタッチパネルは、高い解像度で正確なタッチ位置の検出ができるように構成されている。
すなわち、本発明のタッチパネルは、操作者のタッチ操作の検知および位置の検出に際し、タッチ位置に最も近い検知電極での静電容量の計測結果を用いる。併せて、タッチ位置の近傍の検知電極での静電容量の計測結果も用いるようにして、タッチ位置検出の解像度を向上させるように構成される。以下では、先ず、静電容量方式のタッチパネルを用いて実現されるタッチ操作の検知および高解像度のタッチ位置の検出について説明する。
【００２５】
図１は、静電容量方式のタッチパネルを用いたタッチ操作の検出を説明する図である。
【００２６】
図１に示すタッチパネル１は、投影型静電容量方式のタッチパネルである。タッチパネル１は、透光性の基板２上に、第１の方向である図１に示すＸ方向に延在し、所定の間隔で配列された複数の第１検知電極３を有する。そして、第１の方向であるＸ方向と交差する第２の方向として、図１に示すＹ方向に延在し、所定の間隔で配列された複数の第２検知電極４を有する。
【００２７】
図１に示すタッチパネル１では、第１検知電極３として３本の第１検知電極３−１、３−２、３−３を有し、第２検知電極４として３本の第２検知電極４−１、４−２、４−３を有する。そして、第１検知電極３−１、３−２、３−３と第２検知電極４−１、４−２、４−３とをマトリクス状に配置して、タッチパネル１の操作領域５を構成している。尚、ここで言うタッチパネルの操作領域とは、操作者が指等によってタッチパネルに対してタッチ操作を行うための領域である。そして、タッチパネル１は、操作領域５でなされたタッチ操作について、そのタッチ位置の検出が行えるように構成される。
【００２８】
図１のタッチパネル１は、３本の第１検知電極３と３本の第２検知電極４とが操作領域５内で交差するよう配置されている。このとき、互いに交差する第１検知電極３と第２検知電極４との絶縁性が確保されるように、それらの交差部分である交差部６において、絶縁膜７を介して、第１検知電極３と第２検知電極４とが部分的に重畳するように構成されている。
【００２９】
図２は、タッチパネルの第１検知電極の構造を示す平面図である。
【００３０】
図１および図２に示すように、タッチパネル１の第１検知電極３は、延在するＸ方向に電極パッド部１０と細線部９とが交互に並ぶように構成され、基板２の一方の表面に配置される。一方、第２検知電極４も基板２の一方の表面に設けられ、第１検知電極３とその細線部９で交差するように配置される。このとき、第２検知電極４は、第１検知電極３の細線部９との交差部６で上下（延在方向）に途切れる構成となっている。すなわち、第２検知電極４は、延在するＹ方向に、第１検知電極３と同様の形状の電極パッド部１２が間隔を空けて並ぶ構造を有している。そして、交差部６における第１検知電極３の細線部９の上層に、絶縁体である絶縁膜７を配置する。さらに、絶縁膜７の上層にブリッジ電極１１を配置して、交差部６で途切れた第２検知電極４の部分同士、すなわち、電極パッド部１２同士の電気的な接続を確保するように構成される。
【００３１】
タッチパネル１においては、第１検知電極３と第２検知電極４の端部に、それぞれ引き回し配線が設けられており、その引き回し配線のもう一方の端部に端子１７が設けられている。
【００３２】
図１に示すように、３本の第１検知電極３と３本の第２検知電極４とを有するタッチパネル１は、操作領域５に９カ所の交差部６を有する。そして、タッチパネル１は、マトリクス状に配置された第１検知電極３−１〜３−３および第２検知電極４−１〜４−３を用いた静電容量の計測により、操作領域５において、操作者の指等のタッチ位置の座標の検出を行う。
【００３３】
上記構造のタッチパネル１は、相互容量方式に従うタッチ操作位置の検出を行うことが可能である。すなわち、タッチパネル１は、マトリクス状に配置された第１検知電極３−１〜３−３と第２検知電極４−１〜４−３のうち、第１検知電極３−１〜３−３を、第１検知電極３−１〜３−３と第２検知電極４−１〜４−３との間の相互キャパシタに電荷を充放電させるためのドライブ電極として用いることができる。そして、もう一方の第２検知電極４−１〜４−３を、その相互キャパシタの静電容量を計測するためのセンス電極として用いることができる。
【００３４】
タッチパネル１では、操作領域５内での操作者の指等のタッチ操作により、タッチ位置近傍にある第１検知電極３と第２検知電極４との間の相互キャパシタの静電容量は変動する。このとき、第２検知電極４−１〜４−３により、第１検知電極３と第２検知電極４との間の相互キャパシタの静電容量を順次計測する。そして、タッチしていない場合に対して、タッチ操作された場合に生じる静電容量の変化を電位変化として読み取り、その電位変化の大きさからタッチ操作の有無を検出し、タッチ操作された位置を検出することができる。
【００３５】
このとき、タッチパネル１は、より高い解像度で、操作領域５内のタッチ操作された位置が検出できるように以下の方法に従うことができる。すなわち、タッチパネル１は、第１検知電極３および第２検知電極４の数と配置に制限されること無く、より高い精度で、タッチ位置の検出ができる。
【００３６】
タッチパネル１は、上述したように、ドライブ電極である第１検知電極３−１〜３−３をそれぞれ用いて相互キャパシタに電荷を充放電させ、センス電極である第２検知電極４−１〜４−３を用いた順次の静電容量の計測によって、タッチパネル１の操作領域５の９個の交差部６での感度をそれぞれ取得することができる。ここで、感度とは、タッチ操作された部分に生じる静電容量の変化として読み取られた電位変化に従い定義されるパラメータである。操作領域５でのタッチ操作に対し、そのタッチ位置に最も近い交差部６で、他の交差部６に比べた電位変化が大きくなり、全交差部６の中で最も大きな「感度」値を示すことになる。例えば、図１に示すように、Ａポイント１４に対してタッチ操作が行われた場合、第１検知電極３−２と第２検知電極４−２との交差部６で感度が最も高い値となる。
【００３７】
タッチパネル１は、操作領域５の９個の交差部６での感度を取得し、比較を行い、その９個の感度から最も大きな値の感度を示した交差部６を検出する。タッチパネル１は、最大感度を示した交差部６の位置を、タッチ操作のなされた位置として検出することができる。しかし、そのままでは、タッチ位置の検出が、第１検知電極３および第２検知電極４の検知電極の配置構造に制限されることになる。そこで、タッチパネル１では、以下のように、座標演算を行い、より高い解像度でのタッチ位置の検出を可能とする。
【００３８】
タッチパネル１は、上述の最も大きな値の感度を示した交差部６に対して、図１におけるＸ方向の左右に隣接する２つの交差部６の感度を取得する。すなわち、図１に示すＡポイント１４に対してタッチ操作が行われた場合、第１検知電極３−２と第２検知電極４−２との交差部６の感度とともに、第１検知電極３−２と第２検知電極４−１との交差部６の感度および第１検知電極３−２と第２検知電極４−３との交差部６でも感度を取得する。
【００３９】
図３は、タッチパネルにおけるタッチ位置の検出について説明するグラフである。
【００４０】
図３は、Ｘ軸において、感度の取得された交差部６の操作領域５におけるＸ方向の配置位置をとり、Ｙ軸において、その交差部６で取得された感度の値をとるようにし、構成された棒グラフである。そして、図３では、第１検知電極３−２と第２検知電極４−１との交差部６については、便宜上「電極４−１」として示し、第１検知電極３−２と第２検知電極４−２との交差部６については、「電極４−２」として示し、第１検知電極３−２と第２検知電極４−３との交差部６については、便宜上「電極４−３」として示している。
【００４１】
タッチパネル１では、高解像度でのタッチ位置検出を可能とするため、図３に示されるように、上記３個の交差部６での感度の大きさを示す３本の棒グラフから、それらの重心の位置を求める。そして、図３に示す重心座標（○印）として、実際にタッチ操作がなされたＸ方向の位置を求めるようにしている。同様に、Ｙ方向についても、最も大きな値の感度を示した交差部６に対して、Ｙ方向に隣接する２つの交差部６の感度を取得し、その値を考慮して、タッチ位置のより正確なＹ方向の位置を求めることができる。その結果、図３に示すように、最も高い感度を示した交差部６の位置をタッチ位置とする方法に比べ、その周囲の静電容量計測の結果を考慮することができ、より正確なタッチ位置の検出を行うことができる。
【００４２】
しかしながら、タッチパネル１を用いた場合、以上のように高い解像度でタッチ位置の検出を行うことができるが、その場合でも次のような問題が生じることがある。
【００４３】
それは、図１に示すＢポイント１５のように、操作領域５の端部に対してタッチ操作がなされた場合である。すなわち、操作領域５のＢポイント１５にタッチ操作がなされた場合、最も高い感度を示すのは、第１検知電極３−１と第２検知電極４−１との交差部６であると解される。そのとき、Ｂポイント１５が操作領域５の端部にあることから、上述のように、Ｘ方向の左右に隣接する２つの交差部６の感度を取得することはできない。同様に、Ｙ方向の上下に隣接する２つの交差部６の感度を取得することもできない。したがって、Ａポイント１４の位置検出において行われたのと同様に３個の交差部６の感度からその重心を求める方法をそのまま適用することができないことになる。その結果、Ｂポイント１５においてなされたタッチ位置の正確な検出はできない。ひいては、タッチパネル１では、操作領域５の端部のタッチ位置検出の精度が、内部側に比べて低下することになる。
【００４４】
そこで本発明では、上述した、例えば、３個の交差部の静電容量計測の結果を用いる位置検出の方法に好適なタッチパネルを提供し、操作領域の端部を含むタッチパネルの操作領域の全域で、高解像度のタッチ位置の検出を実現できるように改善する。そして、高い解像度で正確なタッチ位置の検出ができるタッチパネルを提供する。
【００４５】
図４は、本発明の実施形態のタッチパネルの構造を模式的に示す平面図である。
【００４６】
図４に示す本発明の実施形態のタッチパネル１００は、投影型静電容量方式のタッチパネルである。タッチパネル１００は、透光性の基板１０２上に、第１の方向である図１に示すＸ方向に延在し、所定の間隔で配列された複数の第１検知電極１０３を有する。そして、第１の方向であるＸ方向と交差する第２の方向として、図１に示すＹ方向に延在し、所定の間隔で配列された複数の第２検知電極１０４を有する。
【００４７】
基板１０２は、電気絶縁性の基板であって、例えば、ガラス基板や、ＰＥＴ（ポリエチレンテレフタレート）フィルム、ＰＣ（ポリカードネート）フィルムなどの使用が可能である。ガラス基板の場合、厚さを０．３ｍｍ〜３．０ｍｍとすることが可能である。
【００４８】
第１検知電極１０３および第２検知電極１０４は、タッチパネルの光透過率を向上させ、その下層に配置される表示パネルの視認性を向上させるように、いずれも透光性の電極（以下、透明電極とも言う。）とすることが好ましい。そして、第１検知電極１０３および第２検知電極１０４は、可視光に対する高い透過率と導電性を有するように、例えば、ＩＴＯ（酸化インジウム錫、Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺｎＯ（酸化亜鉛）等の透明導電材料を用いて構成することができる。
【００４９】
図４に示すタッチパネル１００では、第１検知電極１０３として３本の第１検知電極１０３−１、１０３−２、１０３−３を有し、第２検知電極１０４として３本の第２検知電極１０４−１、１０４−２、１０４−３を有する。そして、第１検知電極１０３−１、１０３−２、１０３−３と第２検知電極１０４−１、１０４−２、１０４−３とをマトリクス状に配置して、タッチパネル１００の操作領域１０５を構成している。尚、タッチパネルの操作領域１０５は、上述したのと同様に、操作者が指等によってタッチパネル１００に対してタッチ操作を行うための領域である。そして、タッチパネル１００は、操作領域１０５でなされたタッチ操作に対し、タッチ位置の検出を行うように構成される。尚、操作領域１０５は、図４において破線で示す領域内である。
【００５０】
図４のタッチパネル１００は、３本の第１検知電極１０３と３本の第２検知電極１０４とが操作領域１０５内で交差するよう配置されている。このとき、互いに交差する第１検知電極１０３と第２検知電極１０４との絶縁性が確保されるように、それらの交差部分である交差部１０６において、絶縁体である絶縁膜１０７を介して、第１検知電極１０３と第２検知電極１０４とが部分的に重畳するように構成されている。
【００５１】
尚、本実施形態のタッチパネルにおいて、第１検知電極１０３の数は３本に限られるわけではない。第２検知電極１０４の数についても、同様に、３本に限られるわけではない。それぞれ、より多い数とすることができ、また、少ない数とすることも可能である。タッチパネルに求められる位置検出の解像度に従い、適宜選択することができる。
【００５２】
図５は、本実施形態のタッチパネルの第１検知電極の構造を模式的に示す平面図である。
【００５３】
タッチパネル１００の第１検知電極１０３は、図２の第１検知電極３と同様に、延在するＸ方向に電極パッド部１１０と細線部１０９とが交互に並ぶように構成され、図４に示すように、基板１０２の一方の表面に配置される。電極パッド部１１０は、細線部１０９に比べ延在方向と直交する方向（Ｙ方向）の幅が、部分的に細線部１０９の幅より大きくなる形状を有する。図４のタッチパネル１００の第１検知電極１０３は、短冊状の細線部１０９と菱形形状の電極パッド部１１０を備える。
尚、電極パッド部１１０の形状は菱形形状に限られることはなく、六角形や八角形など多様な形状を選ぶことができる。
【００５４】
一方、図４に示すように、第２検知電極１０４も基板１０２の一方の表面に設けられ、第１検知電極１０３とその細線部１０９で交差するように配置される。このとき、第２検知電極１０４は、第１検知電極１０３の細線部１０９との交差部１０６で上下（延在方向）に途切れる構成となっている。
【００５５】
図６は、本実施形態のタッチパネルの第１検知電極と第２検知電極との交差部の構造を模式的に示す平面図である。
【００５６】
図６に示すように、第２検知電極１０４は、延在するＹ方向に、第１検知電極１０３の電極パッド部１１０と同様の菱形形状の電極パッド部１１２が間隔を空けて並ぶ構造を有している。そして、交差部１０６における第１検知電極１０３の細線部１０９の上層に、絶縁体である絶縁膜１０７を配置する。さらに、絶縁膜１０７の上層にブリッジ電極１１１を配置して、交差部１０６で途切れた第２検知電極１０４の部分同士、すなわち、電極パッド部１１２同士の電気的な接続を確保するように構成される。
【００５７】
ブリッジ電極１１１は、例えば、ＩＴＯから構成することが可能である。また、金属製の金属電極とすることも可能である。低抵抗であって、高信頼性を有することから、ブリッジ電極１１１には、金属電極を用いることがより好ましい。具体的には、Ｍｏ、Ｍｏ合金、Ａｌ、Ａｌ合金、Ａｕ、Ａｕ合金などの金属材料を用いることができる。より耐食性を高めた合金としては、例えば、Ｍｏ−Ｎｂ系合金、Ａｌ−Ｎｄ系合金などが好ましい。金属電極を用いる場合、視認性の観点から、ブリッジ電極１１１は第１検知電極１０３の細線部１０９よりも細いほうが好ましい。
【００５８】
絶縁膜１０７は光透過性の絶縁性材料から構成され、透光性を有することが好ましい。例えば、ＳｉＯ２などの無機材料や、感光性のアクリル樹脂などの有機材料を用いることができる。ＳｉＯ２を用いる場合、スパッタリング法によりマスクを利用してパターニングされた絶縁層を容易に得ることができる。感光性のアクリル樹脂などを使用して絶縁膜１０７を形成する場合、フォトリソグラフィー技術の利用によってパターニングされた樹脂製とすることができる。
【００５９】
タッチパネル１００は、以上の形状の第１検知電極１０３と第２検知電極１０４を有することにより、例えば、図１１に示すタッチパネル１０００に比べ、より高い精度で、タッチ位置の検出を行うことができる。
【００６０】
図４に示すように、３本の第１検知電極１０３と３本の第２検知電極１０４とを有するタッチパネル１００は、操作領域１０５内に９カ所の交差部１０６を有する。
【００６１】
図４に示す本実施形態のタッチパネル１００は、操作領域１０５の周辺に第１計測電極１３１および第２計測電極１３２を配置して有する。
第１計測電極１３１は、第１検知電極１０３と同様、基板１０２上、Ｘ方向に延在するように配置される。第１計測電極１３１としては、操作領域１０５の上部側の周辺に配置された第１計測電極１３１−１と下部側の周辺に配置された第１計測電極１３１−２の２本が設けられている。
【００６２】
図７は、本実施形態のタッチパネルの第１計測電極の構造を模式的に示す平面図である。
【００６３】
図７に示す第１計測電極１３１は、図５に示した第１検知電極１０３と同様の構造を有し、延在するＸ方向に電極パッド部１３４と細線部１３３とが交互に並ぶように構成される。そして、その細線部１３３で第２検知電極１０４と交差する。電極パッド部１３４は、細線部１３３に比べ延在方向と直交する方向（Ｙ方向）の幅が、部分的に細線部１３３の幅より大きくなる形状を有する。図４のタッチパネル１００の第１計測電極１３１は、短冊状の細線部１３３と菱形形状の電極パッド部１３４を備える。
【００６４】
ここで、タッチパネル１００の第２検知電極１０４は、上述したように、延在するＹ方向に、電極パッド部１１２が間隔を空けて並ぶ構造を有している。そして、図４に示すように、第２検知電極１０４は、操作領域１０５の周辺で、第１計測電極１３１との間で交差して交差部１３８を有する。交差部１３８においては、図６に示す第１検知電極１０３と第２検知電極１０４との交差部１０６と同様に、第１計測電極１３１の細線部１３３の上層に、絶縁体である絶縁膜１０７が配置される。さらに、絶縁膜１０７の上層にブリッジ電極１１１が配置され、交差部１３８で途切れた第２検知電極１０４の部分同士、すなわち、電極パッド部１１２同士の電気的な接続を確保するように構成される。
【００６５】
一方、図４に示すように、第２計測電極１３２も基板１０２の一方の表面に設けられる。第２計測電極１３２は、第２検知電極１０４と同様、基板１０２上、Ｙ方向に延在するように配置される。第２計測電極１３２としては、操作領域１０５の正面から見て左側の周辺に配置された第２計測電極１３２−１と、右側の周辺に配置された第２計測電極１３２−２の２本が設けられている。
【００６６】
第２計測電極１３２は、操作領域１０５の周辺で、第１検知電極１０３と交差して交差部１３６を形成するように配置される。第２計測電極１３２は、交差部１３６で第１検知電極１０３の細線部１０９と交差する。また、第２計測電極１３２は、操作領域１０５の周辺で、第１計測電極１３１と交差して交差部１３７を形成するように配置される。第２計測電極１３２は、図７に示した第１計測電極１３１の細線部１３３と交差する。
【００６７】
第２計測電極１３２は、第２検知電極１０４と同様の構造を有している。そして、図６の第２検知電極１０４と同様に、第１検知電極１０３の細線部１０９との交差部１３６および第１計測電極１３１との交差部１３７で上下（延在方向）に途切れる構成となっている。すなわち、第２計測電極１３２は、延在するＹ方向に、第１検知電極１０３の電極パッド部１１０と同様の形状の電極パッド部１４２が間隔を空けて並ぶ構造を有している。
【００６８】
そして、第２計測電極１３２は、第１検知電極１０３との交差部１３６において、図６に示す第１検知電極１０３と第２検知電極１０４との交差部１０６と同様に、第１検知電極１０３の細線部１０９の上層に、絶縁体である絶縁膜１０７を配置する。さらに、絶縁膜１０７の上層にブリッジ電極１１１を配置して、交差部１３６で途切れた第２計測電極１３２の部分同士、すなわち、電極パッド部１４２同士の電気的な接続を確保するように構成される。
【００６９】
また、第２計測電極１３２は、第１計測電極１３１との交差部１３７において、図６に示す第１検知電極１０３と第２検知電極１０４との交差部１０６と同様に、第１計測電極１３１の細線部１３３の上層に、絶縁体である絶縁膜１０７を配置する。さらに、絶縁膜１０７の上層にブリッジ電極１１１を配置して、交差部１３７で途切れた第２計測電極１３２の部分同士、すなわち、電極パッド部１４２同士の電気的な接続を確保するように構成される。
【００７０】
尚、第１検知電極１０３、第２検知電極１０４、第１計測電極１３１および第２計測電極１３２は、それぞれ、図４に示すように、両方の端部に位置する電極パッド部１１０、１１２、１３４、１４２の形状を、他の部分と同様としないようにすることも可能である。例えば、菱形形状を有する他の部分の電極パッド部１１０、１１２、１３４、１４２に対し、それらを２分の１にした三角形状とすることが可能である。それらの両端の電極パッド部１１０、１１２、１３４、１４２が配置された基板１０２上の領域は、操作領域１０５の外部であって、タッチ操作のなされない領域である。したがって、他の部分の電極パッド部に比べて小さい面積として、位置検出精度を低下させること無く、基板１０２上に配置されてマトリクス状をなす第１検知電極１０３、第２検知電極１０４、第１計測電極１３１および第２計測電極１３２の面積を小さくすることができる。
【００７１】
以上の構成を有するタッチパネル１００では、第１検知電極１０３−１〜１０３−３と第２検知電極１０４−１〜１０４−３とがマトリクス状に配置され、操作領域１０５を構成している。そして、操作領域１０５の上下および左右に、操作領域１０５を取り囲むようにして配置された第１計測電極１３１−１、１３１−２と第２計測電極１３２−１、１３２−２とを有する。第１計測電極１３１は、第１検知電極１０３と同様、Ｘ方向に延在する。第２計測電極１３２は、第２検知電極１０４と同様、Ｙ方向に延在する。したがって、タッチパネル１００においては、Ｘ方向に延在する第１検知電極１０３および第１計測電極１３１と、Ｙ方向に延在する第２検知電極１０４および第２計測電極１３２とが、マトリクス状に配置されていることになる。
【００７２】
そして、上述したように、第１検知電極１０３と第２検知電極１０４とは、ブリッジ電極１１１を用い、操作領域１０５内で絶縁体である絶縁膜１０７を介して重畳するよう構成されている。第１計測電極１３１は、ブリッジ電極１１１を用い、操作領域１０５の周辺で第２検知電極１０４と絶縁膜１０７を介して重畳するよう構成されている。第２計測電極１３２は、ブリッジ電極１１１を用い、操作領域１０５の周辺で、第１検知電極１０３と絶縁膜１０７を介して重畳するとともに、第１計測電極１３１とも絶縁膜１０７を介して重畳するよう構成されている。
【００７３】
すなわち、タッチパネル１００は、上述した図１のタッチパネル１において、第１検知電極３と同様の構造の電極を同様の配置間隔で、操作領域５の左右に１本ずつ、合計２本が増設された構造に対応する。さらに、タッチパネル１００は、タッチパネル１において、第２検知電極４と同様の電極を同様の配置間隔で、操作領域５の上下に１本ずつ、合計２本が増設された構造に対応する。
【００７４】
タッチパネル１００においては、第１検知電極１０３、第２検知電極１０４、第１計測電極１３１および第２計測電極１３２の端部に、それぞれ引き回し配線が設けられており、その引き回し配線の他方の端部に端子１１７が接続される。また、引き回し配線および端子１１７は金属配線とすることができる。尚、引き回し配線および端子１１７を構成する金属材料は、ブリッジ電極１１１を構成可能な材料として挙げた材料を用いることができる。
【００７５】
そして、タッチパネル１００は、第１検知電極１０３、第２検知電極１０４、第１計測電極１３１および第２計測電極１３２を用いた静電容量の計測を制御し、タッチ位置の検出を制御する制御装置(図示しない）と端子１１７を介して接続されている。この制御装置との接続は、例えば、端子１１７を介して、フレキシブルフィルム等で行うことができる。
【００７６】
したがって、タッチパネル１００は、タッチパネル１において、第１検知電極３−１〜３−３と第２検知電極４−１〜４−３を用いて静電容量の計測を行うのと同様に、マトリクス状に配置された第１検知電極１０３−１〜１０３−３、第２検知電極１０４−１〜１０４−３、第１計測電極１３１−１、１３１−２および第２計測電極１３２−１、１３２−２を用いて静電容量の計測を行うことが可能である。
【００７７】
そして、タッチパネル１００は、操作領域１０５内でなされたタッチ操作に対し、マトリクス状に配置された第１検知電極１０３−１〜１０３−３、第２検知電極１０４−１〜１０４−３、第１計測電極１３１−１、１３１−２および第２計測電極１３２−１、１３２−２を用いた静電容量の計測により、操作領域１０５においてなされた操作者の指等のタッチ操作に対し、そのタッチ位置の座標の検出を行うことができる。
【００７８】
図８は、本実施形態のタッチパネルにおけるタッチ位置の検出を模式的に説明する図である。
【００７９】
タッチパネル１００は、上述したように制御部に接続され、相互容量方式に従うタッチ操作位置の検出を行うことが可能である。すなわち、タッチパネル１００は、マトリクス状に配置された第１検知電極１０３−１〜１０３−３、第２検知電極１０４−１〜１０４−３、第１計測電極１３１−１、１３１−２および第２計測電極１３２−１、１３２−２のうち、第１検知電極１０３−１〜１０３−３および第１計測電極１３１−１、１３１−２をドライブ電極として用いることができる。そして、第１検知電極１０３−１〜１０３−３と第２検知電極１０４−１〜１０４−３との間、および、第１検知電極１０３−１〜１０３−３と第２計測電極１３２−１，１３２−２との間の相互キャパシタに電荷を充放電させることができる。同様に、第１計測電極１３１−１、１３１−２と第２検知電極１０４−１〜１０４−３との間、および第１計測電極１３１−１、１３１−２と第２計測電極１３２−１、１３２−２との間の相互キャパシタに電荷を充放電させることができる。一方、第２検知電極１０４−１〜１０４−３、および第２計測電極１３２−１、１３２−２を、それら相互キャパシタの静電容量を計測するためのセンス電極として用いることができる。
【００８０】
図４に示すように、３本の第１検知電極１０３と３本の第２検知電極１０４とを有するタッチパネル１００は、操作領域１０５内に９カ所の第１検知電極１０３と第２検知電極１０４との交差部１０６を有する。
【００８１】
タッチパネル１００では、操作領域１０５内での操作者の指等のタッチ操作により、タッチ位置近傍にある第１検知電極１０３と第２検知電極１０４との間等の相互キャパシタの静電容量は変動する。このとき、第２検知電極１０４−１〜１０４−３および第２計測電極１３２−１、１３２−２により、第１検知電極１０３と第２検知電極１０４との間等の相互キャパシタの静電容量を順次計測する。そして、タッチしていない場合に対して、タッチ操作された場合に生じる静電容量の変化を電位変化として読み取り、その電位変化の大きさからタッチ操作の有無を検出し、タッチ操作された位置を検出することができる。
【００８２】
その場合、タッチパネル１００は、より高い解像度で、操作領域１０５内のタッチ操作された位置が検出できるように、上述したタッチパネル１と同様の方法に従うことができる。すなわち、タッチパネル１００は、第１検知電極１０３および第２検知電極１０４の数と配置に制限されること無く、より高い精度で、タッチ位置の検出ができる。
【００８３】
タッチパネル１００は、ドライブ電極である第１検知電極１０３−１〜１０３−３および第１計測電極１３１−１、１３１−２をそれぞれ用いて相互キャパシタに電荷を充放電させる。そして、センス電極である第２検知電極１０４−１〜１０４−３および第２計測電極１３２−１、１３２−２を用いた順次の静電容量の計測によって、タッチパネル１００の操作領域１０５内の９個の交差部１０６での感度をそれぞれ取得することができる。同時に、操作領域１０５の周囲の交差部１３６、１３７、１３８における感度もそれぞれ取得することができる。その結果、２５個の交差部１０６、１３６、１３７、１３８における感度を取得することができる。
【００８４】
このとき、操作者のタッチ操作は操作領域１０５内で行われるため、操作領域１０５内の９個の交差部１０６のいずれかで感度が最も高くなる。そして、操作領域１０５でのタッチ操作に対し、そのタッチ位置に最も近い交差部１０６で、他の交差部１０６に比べた電位変化が大きくなり、９個の交差部１０６の中で最も大きな「感度」値を示すことになる。例えば、図８に示すように、Ｃポイント１１４に対してタッチ操作が行われた場合、第１検知電極１０３−２と第２検知電極１０４−２との交差部１０６で感度が最も高い値となる。
【００８５】
タッチパネル１００は、最大感度を示した、Ｃポイント１１４に近い交差部１０６の位置を、タッチ操作のなされた位置として検出することができる。そして、タッチ位置の検出が、第１検知電極１０３および第２検知電極１０４の検知電極の配置構造に制限されることがないように、上記タッチパネル１について図３により説明したのと同様に、座標演算を行い、より高い解像度でのタッチ位置の検出を可能とする。
【００８６】
すなわち、タッチパネル１００は、上述の最も大きな値の感度を示した交差部１０６に対して、図８におけるＸ方向の左右に隣接する２つの交差部１０６の感度を取得する。すなわち、図８に示すＣポイント１１４に対してタッチ操作が行われた場合、第１検知電極１０３−２と第２検知電極１０４−２との交差部１０６の感度とともに、第１検知電極１０３−２と第２検知電極１０４−１との交差部１０６の感度および第１検知電極１０３−２と第２検知電極１０４−３との交差部１０６でも感度を取得する。そして、それら３つの交差部１０６の感度データから、それらの重心の位置を求め、タッチ位置の、より正確なＸ方向の位置を求めることができる。
【００８７】
Ｙ方向のタッチ位置の検出についても同様であり、最も大きな値の感度を示した交差部１０６に対して、Ｙ方向に隣接する２つの交差部１０６の感度を取得し、その値を考慮して、タッチ位置のより正確なＹ方向の位置を求めるこができる。その結果、最も高い感度を示した交差部１０６の位置をタッチ位置とする方法に比べ、その周囲の静電容量計測の結果を考慮することができ、より正確なタッチ位置の検出を行うことができる。
【００８８】
このとき、図８に示すＤポイント１１５のように、操作領域１０５の端部に対してタッチ操作がなされた場合、操作領域１０５の第１検知電極１０３および第２検知電極１０４のみを用いても、Ｘ方向の左右に隣接する２つの交差部１０６の感度を取得することはできない。同様に、Ｙ方向の上下に隣接する２つの交差部１０６の感度を取得することもできない。したがって、Ｃポイント１１４の位置検出において行われたのと同様に、３個の交差部１０６の感度からその重心を求める方法をそのまま適用することができないことになる。その結果、第１検知電極１０３と第２検知電極１０４のみを用いた場合、Ｄポイント１１５においてなされたタッチ位置の正確な検出はできない。
【００８９】
そこで、本実施形態のタッチパネル１００は、操作領域１０５の周辺に設けられた第１計測電極１３１および第２計測電極１３２を利用し、タッチ位置の正確な検出を可能とする。そして、タッチパネル１００は、操作領域１０５の端部のタッチ位置検出の精度が、内部側に比べて低下することを防止する。
【００９０】
図９は、本実施形態のタッチパネルにおけるタッチ位置の検出について説明するグラフである。
【００９１】
図９は、Ｘ軸において、タッチパネル１００において、感度の取得された交差部１０６、１３６、１３８のＸ方向の配置位置をとり、Ｙ軸において、その交差部１０６、１３６、１３８で取得された感度の値をとるようにし、構成された棒グラフである。そして、図９では、第１検知電極１０３−１と第２検知電極１０４−１との交差部１０６については、便宜上「電極１０４−１」として示す。第１検知電極１０３−１と第２検知電極１０４−２との交差部１０６については、「電極１０４−２」として示す。そして、第１検知電極１０３−１と第２計測電極１３２−１との交差部１３６については、便宜上「電極１３２−１」として示している。
【００９２】
タッチパネル１００では、高解像度でのタッチ位置検出を可能とするため、図９に示されるように、上記３個の交差部１０６、１３６での感度の大きさを示す３本の棒グラフから、それらの重心の位置を求める。そして、図９に示す重心座標（○印）として、実際にタッチ操作がなされたＸ方向の位置を求めるようにしている。同様に、Ｙ方向についても、最も大きな値の感度を示した交差部１０６に対して、Ｙ方向に隣接する２つの交差部１０６、１３８の感度を取得し、その値を考慮して、タッチ位置のより正確なＹ方向の位置を求めることができる。その結果、図９に示すように、最も高い感度を示した交差部１０６の位置をタッチ位置とする方法に比べ、その周囲の静電容量計測の結果を考慮することができ、より正確なタッチ位置の検出を行うことができる。
【００９３】
以上のように、本実施形態のタッチパネル１００は、操作領域１０５の端部でタッチ操作がなされた場合も、操作領域１０５の周辺に設けられた第１計測電極１３１および第２計測電極１３２を利用し、タッチ位置の正確な検出を可能とする。
【００９４】
すなわち、操作領域１０５内の第１検知電極１０３および第２検知電極１０４のみを用いて、タッチ操作がなされた交差部１０６のＸ方向に隣接する２つの交差部１０６で感度の取得ができない場合がある。その場合でも、タッチパネル１００は、第２計測電極１３２を用いて、交差部１０６のＸ方向に隣接する２つの交差部１０６、１３６での感度の取得を可能とする。そして、操作領域１０５内の第１検知電極１０３および第２検知電極１０４のみを用いて、タッチ操作がなされた交差部１０６のＹ方向に隣接する２つの交差部１０６で感度の取得ができない場合がある。その場合でも、タッチパネル１００は、第１計測電極１３１を用いて、交差部１０６のＹ方向に隣接する２つの交差部１０６、１３８での感度の取得を可能とする。
【００９５】
その結果、タッチパネル１００は、タッチ位置の正確な検出を可能とし、操作領域１０５の端部のタッチ位置検出の精度が、その内部側に比べて低下することを防止する。
【００９６】
本実施形態のタッチパネル１００は、上述したように、図１のタッチパネル１において、第１検知電極３と同様の構造の電極と、第２検知電極４と同様の構造の電極とを、第１計測電極および第２計測電極として、操作領域５の上下および左右に各１本ずつ、合計４本増設した構造に対応する。
しかし、操作領域５の周辺に設ける第１計測電極および第２計測電極としては、第１検知電極３および第２検知電極４と異なる構造とすることが可能である。
【００９７】
図１０は、本実施形態のタッチパネルの別の例の構造を示す平面図である。
【００９８】
図１０に示す本実施形態のタッチパネルの別の例のタッチパネル２００は、第１計測電極２３１および第２計測電極２３２の構造が異なる以外は、上述したタッチパネル１００と同様の構造を有する。したがって、共通する構成要素については同位置の符号を付し、重複する説明は省略する。
【００９９】
図１０のタッチパネル２００は、３本の第１検知電極１０３と３本の第２検知電極１０４とが操作領域１０５内で交差するよう配置されている。このとき、互いに交差する第１検知電極１０３と第２検知電極１０４との絶縁性が確保されるように、それらの交差部１０６において、絶縁体である絶縁膜１０７を介して、第１検知電極１０３と第２検知電極１０４とが部分的に重畳するように構成されている。絶縁膜１０７の上層には、ブリッジ電極１１１が配置され、交差部１０６で途切れた第２検知電極１０４の部分同士、すなわち第２検知電極１０４を構成する電極パッド部同士の電気的接続を確保するように構成される。
【０１００】
図１０に示す本実施形態のタッチパネル２００は、操作領域１０５の周辺に第１計測電極２３１および第２計測電極２３２を配置して有する。タッチパネル２００は、第１計測電極２３１を、タッチパネル１００の第１計測電極１３１と同様にして使用することができる。そして、第２計測電極２３２を、タッチパネル１００の第２計測電極１３２と同様に用いることができる。
【０１０１】
第１計測電極２３１は、短冊状の形状を有し、第１検知電極１０３と同様、基板１０２上、Ｘ方向に延在するように配置される。第１計測電極２３１としては、操作領域１０５の上部側の周辺に配置されたものと、下部側の周辺に配置されたものとの２本を設けることが可能である。
【０１０２】
また、図１０に示すように、タッチパネル２００は、第２計測電極２３２を基板１０２の一方の表面に設けることが可能である。第２計測電極２３２は、短冊状の形状を有し、第２検知電極１０４と同様、基板１０２上、Ｙ方向に延在するように配置される。第２計測電極２３２としては、操作領域１０５の正面から見て左側の周辺に配置されたものと、右側の周辺に配置されたものとの２本を設けることが可能である。
【０１０３】
第１計測電極２３１は、第１検知電極１０３側の側辺が、各第１検知電極１０３の端部の電極パッド部それぞれの端辺と沿うように、各第１検知電極１０３の端部と離間して配置される。第２計測電極２３２も同様に、第２検知電極１０４側の側辺が、各第２検知電極１０４の端部の電極パッド部それぞれの端辺と沿うように、各第２検知電極１０４の端部と離間して配置される。
【０１０４】
第１計測電極２３１と第２計測電極２３２は、操作領域１０５の周辺に配置され、それ自体の近傍でタッチ操作がなされることはない。そして、操作領域１０５内のタッチ操作に対し、感度を取得できれば十分となる。したがって、第１計測電極２３１と第２計測電極２３２は、第１検知電極１０３および第２検知電極１０４に比べ、面積を小さくすることが可能である。そして、短冊状の形状とすることが可能であり、第１検知電極１０３および第２検知電極１０４それぞれの端部にある電極パッド部の端辺と沿うように、それらと離間して配置することが可能となる。
【０１０５】
タッチパネル２００においては、第１検知電極１０３、第２検知電極１０４、第１計測電極２３１および第２計測電極２３２の端部に、それぞれ引き回し配線（図示されない）が設けられており、その引き回し配線の一方の端部に端子（図示されない）が設けられている。そして、タッチパネル２００は、引き回し配線を介して、第１検知電極１０３、第２検知電極１０４、第１計測電極２３１および第２計測電極２３２を用いた静電容量の計測を制御し、タッチ位置の検出を制御する制御装置(図示しない）に接続している。
【０１０６】
こうした構造とすることにより、タッチパネル２００は、操作領域１０５の端部でタッチ操作がなされた場合も、操作領域１０５の周辺に設けられた第１計測電極２３１および第２計測電極２３２を利用し、タッチ位置の正確な検出を可能とする。さらに、第１計測電極２３１および第２計測電極２３２の配置領域の面積を小さくすることができる。その結果、タッチパネル２００は、タッチ操作に使用されない領域を狭くすることができ、狭額縁化が可能となる。
【０１０７】
尚、本発明は上記の各実施形態に限定されるものではなく、本発明の趣旨を逸脱しない範囲内において、種々変形して実施することができる。
【０１０８】
例えば、本発明のタッチパネルでは、第１検知電極および第２検知電極の構造を、図４、図５等に示した電極パッド部が延在方向に配列する構造とすることができるが、他の形状を選択することも可能である。
【０１０９】
具体的には、図１１に示したような、短冊状の形状を選択することが可能である。そして、それぞれ短冊状の形状を有する第１検知電極および第２検知電極により操作領域を構成することが可能である。そして、第１計測電極および第２計測電極をその操作領域の周辺に配置することが可能である。その場合、第１計測電極および第２計測電極の形状は、第１検知電極および第２検知電極と同様の短冊状とすることが可能である。また、第１検知電極を基板の一方の面に配置し、第２検知電極を基板の他方の面に配置してもよい。この場合、第１検知電極と第２検知電極とは絶縁性の基板を介して重畳される構成であると言える。
【符号の説明】
【０１１０】
１、１００、２００、１０００    タッチパネル
２、１０２    基板
３、３−１、３−２、３−３、１０３、１０３−１、１０３−２、１０３−３、１００２    第１検知電極
４、４−１、４−２、４−３、１０４、１０４−１、１０４−２、１０４−３、１００３    第２検知電極
５、１０５    操作領域
６、１０６、１３６、１３７、１３８    交差部
７、１０７    絶縁膜
９、１０９、１２２、１３３    細線部
１０、１２、１１０、１１２、１３４，１４２    電極パッド部
１１、１１１    ブリッジ電極
１４    Ａポイント
１５    Ｂポイント
１７、１１７    端子
１１４    Ｃポイント
１１５    Ｄポイント
１３１、１３１−１、１３１−２、２３１    第１計測電極
１３２、１３２−１、１３２−２、２３２    第２計測電極
１００１    透明基板
【図１】
2013134698.tif 000003
【図２】
2013134698.tif 000004
【図３】
2013134698.tif 000005
【図４】
2013134698.tif 000006
【図５】
2013134698.tif 000007
【図６】
2013134698.tif 000008
【図７】
2013134698.tif 000009
【図８】
2013134698.tif 000010
【図９】
2013134698.tif 000011
【図１０】
2013134698.tif 000012
【図１１】
2013134698.tif 000013